(57)【要約】【課題】  塔状構造物の内面の汚染物を簡単かつ効率的に除去できる塔状構造物の洗浄装置を提供することである。【解決手段】  塔状構造物の洗浄装置１は、塔状構造物２の頂部から煙道３内に吊り下げられて内面の汚染物４を洗浄するものであり、塔状構造物の内面６を洗浄する洗浄本体部５と、該洗浄本体部５を吊り下げる吊り下げ手段８と、汚染物洗浄手段７とから構成され、該汚染物洗浄手段７が圧送装置２０と噴射アーム１９とからなり、該噴射アーム１９の先端には噴射盤２２が回転自在に設けられ、該噴射盤２２に複数の噴射ノズル２３が螺旋配設で突設され、該噴射ノズル２３は先端へ行くにしたがって外側に広がる方向に傾斜している。【選択図】図１
2006095360.tif 000002
【特許請求の範囲】
【請求項１】
中空の搭状構造物の頂部から煙道内に吊り下げられて内面の汚染物を洗浄する搭状構造物の洗浄装置であり、搭状構造物の内面を洗浄する洗浄本体部と、該洗浄本体部を吊り下げる吊り下げ手段と、汚染物洗浄手段とから構成され、該汚染物洗浄手段が圧送装置と噴射アームとからなり、該噴射アームの先端には噴射盤が回転自在に設けられ、該噴射盤に複数の噴射ノズルが螺旋配設で突設され、該噴射ノズルは先端へ行くにしたがって外側に広がる方向に傾斜したことを特徴とする搭状構造物の洗浄装置。
【請求項２】
噴射ノズルの傾斜角は噴射圧により可変自在であることを特徴とする請求項１に記載の搭状構造物の洗浄装置。
【請求項３】
噴射ノズルは先端へ行くにしたがって噴射盤の回転方向に傾斜したことを特徴とする請求項１または２に記載の搭状構造物の洗浄装置。
【請求項４】
噴射盤は前後方向に移動自在であることを特徴とする請求項１〜３のいずれかに記載の搭状構造物の洗浄装置。
【発明の詳細な説明】
【技術分野】
【０００１】
本発明は煙突などの搭状構造物の洗浄装置に関するものである。
【背景技術】
【０００２】
近年、高層化された煙突などの搭状構造物の内面を洗浄する洗浄装置としては、洗浄作業者の健康面と安全面を考慮した、特開２００４−１７４３７８号の発明が知られている。この洗浄装置は内筒空間内に吊り下げられる装置本体と、内筒空間の直径に合わせてリンク長を変更できるサポートリンクアームと、内筒内面を洗浄する洗浄リンクアームとから構成され、この洗浄リンクアーム先端の高圧噴射部から噴射した高圧水で内筒面に付着した汚染物を除去するものである。
【特許文献１】特開２００４−１７４３７８号公報
【発明の開示】
【発明が解決しようとする課題】
【０００３】
しかし、上記の洗浄装置は洗浄リンクアームの高圧噴射部から噴射した高圧水が内筒面の汚染物に対して直角に当たるため、すなわち汚染物の真正面から高圧水が当たるため、汚染物がなかなか除去できず、きれいに除去するには一箇所にかなりの時間噴射し続けなければならなかった。
【０００４】
本発明は、上記のような問題に鑑みてなされたものであり、その目的は、搭状構造物の内面の汚染物を簡単かつ効率的に除去できる搭状構造物の洗浄装置を提供することである。
【課題を解決するための手段】
【０００５】
以上の課題を解決するための搭状構造物の洗浄装置は、中空の搭状構造物の頂部から煙道内に吊り下げられて内面の汚染物を洗浄する搭状構造物の洗浄装置であり、搭状構造物の内面を洗浄する洗浄本体部と、該洗浄本体部を吊り下げる吊り下げ手段と、汚染物洗浄手段とから構成され、該汚染物洗浄手段が圧送装置と噴射アームとからなり、該噴射アームの先端には噴射盤が回転自在に設けられ、該噴射盤に複数の噴射ノズルが螺旋配設で突設され、該噴射ノズルは先端へ行くにしたがって外側に広がる方向に傾斜したことを特徴とする。また噴射ノズルの傾斜角は噴射圧により可変自在であることを含む。また噴射ノズルは先端へ行くにしたがって噴射盤の回転方向に傾斜したことを含む。また噴射盤は前後方向に移動自在であることを含むものである。
【発明の効果】
【０００６】
放射状に突設された噴射ノズルから噴射された高圧水が搭状構造物の内面の汚染物に対して鋭角に当たるため、汚染物が搭状構造物の内面から簡単に剥がれて除去される。また噴射ノズルが螺旋配設で突設されたため、汚染物が線状ではなく円形面で除去される。汚染物に高圧水を当てた瞬間に搭状構造物の内面から剥がれるので、短時間でかつ効率的な除去作業ができる。また噴射盤が回転することにより、噴射ノズルから噴射される高圧水の威力が増大して除去能力が高められる。また噴射ノズルの傾斜角が噴射圧により可変自在であるため、一本の噴射ノズルの噴射範囲が広くなる。また噴射ノズルが先端へ行くにしたがって噴射盤の回転方向に傾斜したことにより、噴射ノズルから高圧水が噴射する力によって噴射盤が回転する。また噴射盤が前後方向に移動自在であることにより、搭状構造物の内径が変わった場合にも対応することができる。
【発明を実施するための最良の形態】
【０００７】
以下、本発明の搭状構造物の洗浄装置（以下、洗浄装置という）の実施の形態を図面に基づいて説明する。
【０００８】
洗浄装置１は、図１に示すように、煙突などの搭状構造物２の頂部から煙道３内に吊り下げられて内面に付着した汚染物４を洗浄・除去するものである。この洗浄装置１は洗浄本体部５と、搭状構造物の内面６に付着した汚染物４を洗浄・除去する汚染物洗浄手段（以下、洗浄手段という）７と、上記の洗浄本体部５を搭状構造物２の頂部から煙道３内に吊り下げる吊り下げ手段８とから構成されている。
【０００９】
洗浄本体部５は上面に滑車９ｃを備えた吊り円盤１０と、該吊り円盤１０に設けた円筒のホルダー１１と、該ホルダーの底板１２に吊り下げられた枠体１３とからなり、該枠体１３が駆動モーター１４により回転軸１５を中心に回転できるようになっている。この枠体１３の天盤１６にはサポートアーム１７の上端が回転自在に取り付けられ、その下端がスライドジャッキのシリンダー１８で搭状構造物の内面６に押しつけられている。このサポートアーム１７は洗浄本体部５の中心軸と煙道３の中心軸とを常に合致させるものであり、これをシリンダー１８の伸縮により行っている。
【００１０】
また洗浄手段７は枠体の天盤１６に吊り下げた噴射アーム１９と、地上に設置された圧送装置２０とから構成され、該圧送装置２０からの高圧水２４を供給するホース２１が噴射アーム１９先端の噴射盤２２に接続されている。この噴射盤２２は、噴射ヘッド２５の伸縮アーム２５ａに回転自在に取り付けらたことにより、搭状構造物の内径が下側に向かって大きくなった場合でも、伸縮アーム２５ａで噴射盤を前後させて噴射ノズル２３と搭状構造物の内面６との距離を一定に保持する。さらに噴射アーム１９の折り曲げ操作によって噴射ノズル２３が上下の一定範囲を噴射することができる。
【００１１】
この噴射ノズル２３は噴射盤２２に同心円配置ではなく、螺旋配置でかつ放射状に突設されている。すなわち噴射ノズル２３は先端へ行くにしたがって外側に広がる方向に傾斜されている。
【００１２】
したがって、圧送装置２０からホース２１で供給された高圧水２４は、噴射ノズル２３から搭状構造物の内面６の汚染物４に所定の角度をもって噴射されるので、この汚染物４が搭状構造物の内面６から線状ではなく円形面状に剥がされる。また噴射角度は噴射アーム先端の噴射ヘッド２５を上下方向に回転させることにより、自由に変えることができる。さらに、噴射盤２２は任意の速度で円周方向（矢印の方向）に回転できるため、これを回転させながら、または回転速度を変えながら高圧水２４を噴射させると、さらに威力が増すため汚染物４が効率的に除去できる。
【００１３】
なお、上記の噴射ノズル２３は、上記の放射状に限らず、先端へ行くにしたがって内側方向に傾斜させることもできる。このように内側方向に傾斜させると、汚染物４を円形に切って搭状構造物の内面６から剥がすこともできる。
【００１４】
また吊り下げ手段８は旋回アーム梁２６に設置された揚重ウインチ２７と、この揚重ウインチ２７から伸びたワイヤーロープ２８とからなり、このワイヤーロープ２８で洗浄本体部５が煙道３内に吊り下げられている。上記の旋回アーム梁２６は、搭状構造物２を挟むようにして作業床２９に立設されたマスト３０の頂部間に、搭状構造物の平面円形の中央部を横切って掛け渡されている。
【００１５】
この旋回アーム梁２６は一方のマスト３０に設けた旋回軸３１を中心に旋回でき、洗浄本体部５を吊り下げる前に、搭状構造物の平面円形の中央部を横切る位置に旋回させて、その先端部３２を他のマスト３０に溶接接合している。なお、旋回アーム梁２６は搭状構造物の平面円形の中央部ではなく、平面円形の一部を横切る位置に旋回させて掛け渡すこともできる。
【００１６】
また揚重ウインチ２７から伸びたワイヤーロープ２８は、旋回アーム梁２６の先端部上面の滑車９ａと、旋回アーム梁２６の下面の滑車９ｂとを介して洗浄本体部の二つの滑車９ｃに掛け渡され、この二つの滑車９ｃを介して旋回アーム梁２６の下面に固定されている。よって揚重ウインチ２７のワイヤーロープ２８の巻き取り操作で洗浄本体部５が煙道３内を上下動して、該煙道３の最上部から最下端まで降ろすことができるようになる。
【００１７】
以上のように高圧水２４を搭状構造物の内面６の汚染物４に所定の角度をもって噴射する他、噴射ヘッド２５を上下方向に回転させて角度を自由に変えながら噴射し、さらにこれらと噴射盤２２の回転および前後移動とを組み合わせて噴射する。このようにしながら枠体１３を回転させつつ、吊り下げ手段８で洗浄本体部５を煙道３の上側から下側に吊り降ろすことにより、搭状構造物の内面６の全ての汚染物４を洗浄・除去することができる。
【００１８】
また図４は噴射ノズル３３の傾斜角を可変自在にしたものであり、これ以外は上記の噴射ノズル２３と同じ構成である。これは噴射ノズル２３の下端を球座３４にして噴射盤２２との間に圧縮バネ３５を設けることにより、噴射ノズル３３からの高圧水の噴射力によって傾斜角を自由に変化させて、一本の噴射ノズル３３の噴射範囲（噴射幅）を大きくするものである。
【００１９】
また図５は噴射ノズル３６が先端へ行くにしたがって噴射盤２２の回転方向に傾斜したものであり、これ以外は図１の噴射ノズル２３と同じ構成である。このように噴射ノズル３６を傾斜させると高圧水の噴射力によって噴射盤２２が回転する。なお、この噴射ノズル３６の傾斜は、図４の噴射ノズル３３にも適用することができる。
【図面の簡単な説明】
【００２０】
【図１】洗浄装置が煙道内に吊り下げられた搭状構造物の断面図である。
【図２】洗浄装置の正面図である。
【図３】（１）は噴射ノズルの側面図、（２）は同正面図である。
【図４】他の噴射ノズルの一部省略断面図である。
【図５】他の噴射ノズルの正面図である。
【符号の説明】
【００２１】
１  洗浄装置
２  搭状構造物
３  煙道
４  汚染物
５  洗浄本体部
６  搭状構造物の内面
７  洗浄手段
８  吊り下げ手段
９ａ、９ｂ、９ｃ  滑車
１１  ホルダー
１２  ホルダーの底板
１３  枠体
１４  駆動モータ
１５  回転軸
１６  天盤
１７  サポートアーム  
１８  シリンダー
１９  噴射アーム
２０  圧送装置
２１  ホース
２２  噴射盤
２３、３３、３６  噴射ノズル
２４  高圧水
２５  噴射ヘッド
２５ａ  伸縮アーム
２６  旋回アーム梁
２７  揚重ウインチ
２８  ワイヤーロープ
２９  作業床
３０  マスト
３１  旋回軸
３２  旋回アーム梁の先端部
３４  球座
３５  圧縮バネ
【図１】
2006095360.tif 000003
【図２】
2006095360.tif 000004
【図３】
2006095360.tif 000005
【図４】
2006095360.tif 000006
【図５】
2006095360.tif 000007
【手続補正書】
【提出日】平成17年5月19日(2005.5.19)
【手続補正１】
【補正対象書類名】特許請求の範囲
【補正対象項目名】全文
【補正方法】変更
【補正の内容】
【特許請求の範囲】
【請求項１】
中空の塔状構造物の頂部から煙道内に吊り下げられて内面の汚染物を洗浄する塔状構造
物の洗浄装置であり、塔状構造物の内面を洗浄する洗浄本体部と、該洗浄本体部を吊り下
げる吊り下げ手段と、汚染物洗浄手段とから構成され、該汚染物洗浄手段が圧送装置と噴
射アームとからなり、該噴射アームの先端には噴射盤が回転自在に設けられ、該噴射盤に
複数の噴射ノズルが螺旋配設で突設され、該噴射ノズルは先端へ行くにしたがって外側に
広がる方向に傾斜したことを特徴とする塔状構造物の洗浄装置。
【請求項２】
噴射ノズルの傾斜角は噴射圧により可変自在であることを特徴とする請求項１に記載の
塔状構造物の洗浄装置。
【請求項３】
噴射ノズルは先端へ行くにしたがって噴射盤の回転方向に傾斜したことを特徴とする請
求項１または２に記載の塔状構造物の洗浄装置。
【請求項４】
噴射盤は前後方向に移動自在であることを特徴とする請求項１〜３のいずれかに記載の
塔状構造物の洗浄装置。
【手続補正２】
【補正対象書類名】明細書
【補正対象項目名】全文
【補正方法】変更
【補正の内容】
【発明の詳細な説明】
【技術分野】
【０００１】
本発明は煙突などの塔状構造物の洗浄装置に関するものである。
【背景技術】
【０００２】
近年、高層化された煙突などの塔状構造物の内面を洗浄する洗浄装置としては、洗浄作
業者の健康面と安全面を考慮した、特開２００４−１７４３７８号の発明が知られている
。この洗浄装置は内筒空間内に吊り下げられる装置本体と、内筒空間の直径に合わせてリ
ンク長を変更できるサポートリンクアームと、内筒内面を洗浄する洗浄リンクアームとか
ら構成され、この洗浄リンクアーム先端の高圧噴射部から噴射した高圧水で内筒面に付着
した汚染物を除去するものである。
【特許文献１】特開２００４−１７４３７８号公報
【発明の開示】
【発明が解決しようとする課題】
【０００３】
しかし、上記の洗浄装置は洗浄リンクアームの高圧噴射部から噴射した高圧水が内筒面
の汚染物に対して直角に当たるため、すなわち汚染物の真正面から高圧水が当たるため、
汚染物がなかなか除去できず、きれいに除去するには一箇所にかなりの時間噴射し続けな
ければならなかった。
【０００４】
本発明は、上記のような問題に鑑みてなされたものであり、その目的は、塔状構造物の
内面の汚染物を簡単かつ効率的に除去できる塔状構造物の洗浄装置を提供することである。
【課題を解決するための手段】
【０００５】
以上の課題を解決するための塔状構造物の洗浄装置は、中空の塔状構造物の頂部から煙
道内に吊り下げられて内面の汚染物を洗浄する塔状構造物の洗浄装置であり、塔状構造物の内面を洗浄する洗浄本体部と、該洗浄本体部を吊り下げる吊り下げ手段と、汚染物洗浄
手段とから構成され、該汚染物洗浄手段が圧送装置と噴射アームとからなり、該噴射アー
ムの先端には噴射盤が回転自在に設けられ、該噴射盤に複数の噴射ノズルが螺旋配設で突
設され、該噴射ノズルは先端へ行くにしたがって外側に広がる方向に傾斜したことを特徴
とする。また噴射ノズルの傾斜角は噴射圧により可変自在であることを含む。また噴射ノ
ズルは先端へ行くにしたがって噴射盤の回転方向に傾斜したことを含む。また噴射盤は前
後方向に移動自在であることを含むものである。
【発明の効果】
【０００６】
放射状に突設された噴射ノズルから噴射された高圧水が塔状構造物の内面の汚染物に対
して鋭角に当たるため、汚染物が塔状構造物の内面から簡単に剥がれて除去される。また
噴射ノズルが螺旋配設で突設されたため、汚染物が線状ではなく円形面で除去される。汚
染物に高圧水を当てた瞬間に塔状構造物の内面から剥がれるので、短時間でかつ効率的な
除去作業ができる。また噴射盤が回転することにより、噴射ノズルから噴射される高圧水
の威力が増大して除去能力が高められる。また噴射ノズルの傾斜角が噴射圧により可変自
在であるため、一本の噴射ノズルの噴射範囲が広くなる。また噴射ノズルが先端へ行くに
したがって噴射盤の回転方向に傾斜したことにより、噴射ノズルから高圧水が噴射する力
によって噴射盤が回転する。また噴射盤が前後方向に移動自在であることにより、塔状構
造物の内径が変わった場合にも対応することができる。
【発明を実施するための最良の形態】
【０００７】
以下、本発明の塔状構造物の洗浄装置（以下、洗浄装置という）の実施の形態を図面に
基づいて説明する。
【０００８】
洗浄装置１は、図１に示すように、煙突などの塔状構造物２の頂部から煙道３内に吊り
下げられて内面に付着した汚染物４を洗浄・除去するものである。この洗浄装置１は洗浄
本体部５と、塔状構造物の内面６に付着した汚染物４を洗浄・除去する汚染物洗浄手段（
以下、洗浄手段という）７と、上記の洗浄本体部５を塔状構造物２の頂部から煙道３内に
吊り下げる吊り下げ手段８とから構成されている。
【０００９】
洗浄本体部５は上面に滑車９ｃを備えた吊り円盤１０と、該吊り円盤１０に設けた円筒
のホルダー１１と、該ホルダーの底板１２に吊り下げられた枠体１３とからなり、該枠体
１３が駆動モーター１４により回転軸１５を中心に回転できるようになっている。この枠
体１３の天盤１６にはサポートアーム１７の上端が回転自在に取り付けられ、その下端が
スライドジャッキのシリンダー１８で塔状構造物の内面６に押しつけられている。このサ
ポートアーム１７は洗浄本体部５の中心軸と煙道３の中心軸とを常に合致させるものであ
り、これをシリンダー１８の伸縮により行っている。
【００１０】
また洗浄手段７は枠体の天盤１６に吊り下げた噴射アーム１９と、地上に設置された圧
送装置２０とから構成され、該圧送装置２０からの高圧水２４を供給するホース２１が噴
射アーム１９先端の噴射盤２２に接続されている。この噴射盤２２は、噴射ヘッド２５の
伸縮アーム２５ａに回転自在に取り付けらたことにより、塔状構造物の内径が下側に向か
って大きくなった場合でも、伸縮アーム２５ａで噴射盤を前後させて噴射ノズル２３と搭
状構造物の内面６との距離を一定に保持する。さらに噴射アーム１９の折り曲げ操作によ
って噴射ノズル２３が上下の一定範囲を噴射することができる。
【００１１】
この噴射ノズル２３は噴射盤２２に同心円配置ではなく、螺旋配置でかつ放射状に突設
されている。すなわち噴射ノズル２３は先端へ行くにしたがって外側に広がる方向に傾斜
されている。
【００１２】
したがって、圧送装置２０からホース２１で供給された高圧水２４は、噴射ノズル２３
から塔状構造物の内面６の汚染物４に所定の角度をもって噴射されるので、この汚染物４
が塔状構造物の内面６から線状ではなく円形面状に剥がされる。また噴射角度は噴射アー
ム先端の噴射ヘッド２５を上下方向に回転させることにより、自由に変えることができる
。さらに、噴射盤２２は任意の速度で円周方向（矢印の方向）に回転できるため、これを
回転させながら、または回転速度を変えながら高圧水２４を噴射させると、さらに威力が
増すため汚染物４が効率的に除去できる。
【００１３】
なお、上記の噴射ノズル２３は、上記の放射状に限らず、先端へ行くにしたがって内側
方向に傾斜させることもできる。このように内側方向に傾斜させると、汚染物４を円形に
切って塔状構造物の内面６から剥がすこともできる。
【００１４】
また吊り下げ手段８は旋回アーム梁２６に設置された揚重ウインチ２７と、この揚重ウ
インチ２７から伸びたワイヤーロープ２８とからなり、このワイヤーロープ２８で洗浄本
体部５が煙道３内に吊り下げられている。上記の旋回アーム梁２６は、塔状構造物２を挟
むようにして作業床２９に立設されたマスト３０の頂部間に、塔状構造物の平面円形の中
央部を横切って掛け渡されている。
【００１５】
この旋回アーム梁２６は一方のマスト３０に設けた旋回軸３１を中心に旋回でき、洗浄
本体部５を吊り下げる前に、塔状構造物の平面円形の中央部を横切る位置に旋回させて、
その先端部３２を他のマスト３０に溶接接合している。なお、旋回アーム梁２６は塔状構
造物の平面円形の中央部ではなく、平面円形の一部を横切る位置に旋回させて掛け渡すこ
ともできる。
【００１６】
また揚重ウインチ２７から伸びたワイヤーロープ２８は、旋回アーム梁２６の先端部上
面の滑車９ａと、旋回アーム梁２６の下面の滑車９ｂとを介して洗浄本体部の二つの滑車
９ｃに掛け渡され、この二つの滑車９ｃを介して旋回アーム梁２６の下面に固定されてい
る。よって揚重ウインチ２７のワイヤーロープ２８の巻き取り操作で洗浄本体部５が煙道
３内を上下動して、該煙道３の最上部から最下端まで降ろすことができるようになる。
【００１７】
以上のように高圧水２４を塔状構造物の内面６の汚染物４に所定の角度をもって噴射す
る他、噴射ヘッド２５を上下方向に回転させて角度を自由に変えながら噴射し、さらにこ
れらと噴射盤２２の回転および前後移動とを組み合わせて噴射する。このようにしながら
枠体１３を回転させつつ、吊り下げ手段８で洗浄本体部５を煙道３の上側から下側に吊り
降ろすことにより、塔状構造物の内面６の全ての汚染物４を洗浄・除去することができる。
【００１８】
また図４は噴射ノズル３３の傾斜角を可変自在にしたものであり、これ以外は上記の噴
射ノズル２３と同じ構成である。これは噴射ノズル２３の下端を球座３４にして噴射盤２
２との間に圧縮バネ３５を設けることにより、噴射ノズル３３からの高圧水の噴射力によ
って傾斜角を自由に変化させて、一本の噴射ノズル３３の噴射範囲（噴射幅）を大きくす
るものである。
【００１９】
また図５は噴射ノズル３６が先端へ行くにしたがって噴射盤２２の回転方向に傾斜した
ものであり、これ以外は図１の噴射ノズル２３と同じ構成である。このように噴射ノズル
３６を傾斜させると高圧水の噴射力によって噴射盤２２が回転する。なお、この噴射ノズ
ル３６の傾斜は、図４の噴射ノズル３３にも適用することができる。
【図面の簡単な説明】
【００２０】
【図１】洗浄装置が煙道内に吊り下げられた塔状構造物の断面図である。
【図２】洗浄装置の正面図である。
【図３】（１）は噴射ノズルの側面図、（２）は同正面図である。
【図４】他の噴射ノズルの一部省略断面図である。
【図５】他の噴射ノズルの正面図である。
【符号の説明】
【００２１】
１  洗浄装置
２  塔状構造物
３  煙道
４  汚染物
５  洗浄本体部
６  塔状構造物の内面
７  洗浄手段
８  吊り下げ手段
９ａ、９ｂ、９ｃ  滑車
１１  ホルダー
１２  ホルダーの底板
１３  枠体
１４  駆動モータ
１５  回転軸
１６  天盤
１７  サポートアーム  
１８  シリンダー
１９  噴射アーム
２０  圧送装置
２１  ホース
２２  噴射盤
２３、３３、３６  噴射ノズル
２４  高圧水
２５  噴射ヘッド
２５ａ  伸縮アーム
２６  旋回アーム梁
２７  揚重ウインチ
２８  ワイヤーロープ
２９  作業床
３０  マスト
３１  旋回軸
３２  旋回アーム梁の先端部
３４  球座
３５  圧縮バネ